(57)【特許請求の範囲】
【請求項１】
複数相からなる電圧を印加するための複数の入力ケーブルが接続される複数の入力端子と、前記複数の入力端子と電気的に接続され、前記複数相からなる電圧を出力するための複数の出力ケーブルが接続される複数の第１出力端子と、前記複数の第１出力端子と電気的に接続される複数の導出端子を有する複数の第１嵌合孔と、をユニットとした基本端子台と、
前記複数相からなる電圧を出力するための複数の出力ケーブルが接続される複数の第２出力端子と、前記複数の第２出力端子と電気的に接続される複数の導出端子を有する複数の第２嵌合孔と、前記複数の第２出力端子と電気的に接続される複数の導出端子を有する複数の嵌合片と、をユニットとした増設端子台と、
を備え、
前記基本端子台と前記増設端子台を垂直方向に連結する場合、前記複数の第１嵌合孔と前記複数の嵌合片が嵌合し、且つ、前記複数の第１嵌合孔と前記複数の嵌合片の導出端子同士が接触し、
嵌合する前記複数の第１嵌合孔と前記複数の嵌合片では夫々、前記第１嵌合孔における導出端子と前記第１出力端子を介して電気的に接続される出力ケーブルの相と、前記嵌合片における導出端子と前記第２出力端子を介して電気的に接続される出力ケーブルの相とは同じであり、
前記増設端子台同士を垂直方向に連結する場合、一の前記増設端子台の前記複数の第２嵌合孔と他の前記増設端子台の前記複数の嵌合片が嵌合し、且つ、一の前記増設端子台の前記複数の第２嵌合孔と他の前記増設端子台の前記複数の嵌合片の導出端子同士が接触し、
嵌合する前記複数の第２嵌合孔と前記複数の嵌合片では夫々、前記第２嵌合孔における導出端子と前記第２出力端子を介して電気的に接続される出力ケーブルの相と、前記嵌合片における導出端子と前記第２出力端子を介して電気的に接続される出力ケーブルの相とは同じである、
ことを特徴とする端子台。
【請求項２】
前記増設端子台は、前記複数の入力端子の一端に連続するダミー入力端子と、前記複数の第２出力端子の一端に連続するダミー出力端子と、を備えたことを特徴とする請求項１に記載の端子台。
【請求項３】
前記複数の第２出力端子は、前記複数相からなる電圧の各相に応じて異なる色が付されることを特徴とする請求項１に記載の端子台。
【請求項４】
前記複数の第１出力端子は、前記複数相からなる電圧の各相に応じて、前記複数の第２出力端子と同一の異なる色が付されることを特徴とする請求項３に記載の端子台。
【請求項５】
前記基本端子台は、前記増設端子台と螺子で螺合されるための垂直方向の第１螺子孔を有し、
前記増設端子台は、前記基本端子台又は前記増設端子台と螺子で螺合されるための垂直方向に貫通する第２螺子孔を有する、ことを特徴とする請求項１乃至４の何れかに記載の端子台。
【請求項６】
複数相からなる電圧を印加するための複数の入力ケーブルが接続される複数の入力端子と、前記複数の入力端子と電気的に接続され、前記複数相からなる電圧を出力するための複数の出力ケーブルが接続される複数の第１出力端子と、前記複数の第１出力端子と電気的に接続される複数の導出端子を有する複数の第１嵌合片と、をユニットとした基本端子台と、
前記複数相からなる電圧を出力するための複数の出力ケーブルが接続される複数の第２出力端子と、前記複数の第２出力端子と電気的に接続される複数の導出端子を有する複数の嵌合孔と、前記複数の第２出力端子と電気的に接続される複数の導出端子を有する複数の第２嵌合片と、をユニットとした増設端子台と、
を備え、
前記基本端子台と前記増設端子台を垂直方向に連結する場合、前記複数の第１嵌合片と前記複数の嵌合孔が嵌合し、且つ、前記複数の第１嵌合片と前記複数の嵌合孔の導出端子同士が接触し、
嵌合する前記複数の第１嵌合片と前記複数の嵌合孔では夫々、前記第１嵌合片における導出端子と前記第１出力端子を介して電気的に接続される出力ケーブルの相と、前記嵌合孔における導出端子と前記第２出力端子を介して電気的に接続される出力ケーブルの相とは同じであり、
前記増設端子台同士を垂直方向に連結する場合、一の前記増設端子台の前記複数の第２嵌合片と他の前記増設端子台の前記複数の嵌合孔が嵌合し、且つ、一の前記増設端子台の前記複数の第２嵌合片と他の前記増設端子台の前記複数の嵌合孔の導出端子同士が接触し、
嵌合する前記複数の第２嵌合片と前記複数の嵌合孔では夫々、前記第２嵌合片における導出端子と前記第２出力端子を介して電気的に接続される出力ケーブルの相と、前記嵌合孔における導出端子と前記第２出力端子を介して電気的に接続される出力ケーブルの相とは同じである、
ことを特徴とする端子台。
【発明の詳細な説明】
【技術分野】
【０００１】
本発明は、端子台に関する。
【背景技術】
【０００２】
電気配線に用いられる端子台は、入力ケーブルと出力ケーブルとを接続する場合において、ケーブル間の接続を容易にするものである。  
例えば、変電所の配電盤において、電圧変成器からの母線電圧が印加される入力ケーブルと、配電盤内の複数の回路（例えば、計測回路や保護回路）へ母線電圧を出力する出力ケーブルとを電気的に接続する端子台が用いられている。母線電圧は、例えば位相に１２０度のずれがある正相（スター結線されたＵ相、Ｖ相、Ｗ相）の電圧と、零相（以下、ニュートラル相とする）の電圧との計４相の電圧である。  
端子台には、入力ケーブルが接続される複数の入力端子と、出力ケーブルが接続される複数の出力端子とが、各々電気的に接続されて並設されている。（例えば特許文献１参照）。
【０００３】
図１０は、従来の端子台の構成の一例を示す斜視図である。尚、図１０に示す端子台は、入力端子と出力端子をそれぞれ１４個有する場合を示すものである。  
端子台１０は、例えば直方体で形成され、直方体の長手方向のケーブル接続面Ｆに、入力ケーブルが接続される入力端子１３ａ〜１３ｎと、出力ケーブルが接続される出力端子１４ａ〜１４ｎとが紙面右側と紙面左側に並設されている。尚、端子台１０において入力端子１３ａ〜１３ｎと出力端子１４ａ〜１４ｎは、例えば導電体で形成されており、それ以外の部分は、主として例えば樹脂で形成されている。また、全ての入力端子と出力端子は、同色および同形状で構成されている。
【０００４】
また、入力端子１３ａ〜１３ｎと出力端子１４ａ〜１４ｎのうち隣接するもの同士（例えば、入力端子１３ａと出力端子１４ａ）は、端子台１０の内部において、例えば導線（不図示）によって電気的に接続されている。  
端子台１０の入力端子１３ａは、電圧変成器２０から取り込まれる母線電圧のうち、例えばＵ相の入力ケーブル２ａと電気的に接続され、出力端子１４ａは、回路Ａ（例えば計測回路）のＵ相の出力ケーブル４ａと電気的に接続されている。
【０００５】
ここで、図１１を参照して出力ケーブル４ａの接続について説明する。図１１は、図１０の一部を拡大して示す斜視図である。
【０００６】
端子台１０の１段目には入力端子１３ａと、出力端子１４ａが並設されている。  
出力ケーブル４ａの一端には、中央に開口部を有する円盤形状の圧着端子１５が設けられている。また、端子台１０は、螺子１６（雄螺子）と、各端子の略中央部に設けられ、螺子１６と螺合される螺子孔１２とを有している。  
そして、螺子１６を、圧着端子１５の開口部を通して端子台１０の螺子孔１２に螺合させることによって、出力ケーブル４ａと出力端子１４ａとが電気的に接続されることになる。尚、１つの入力端子に１本の入力ケーブルを電気的に接続する場合、及び１つの出力端子に１本の出力ケーブルを電気的に接続する場合の接続方法は全て同じである。よって、以下の説明ではケーブルの接続方法についての説明を省略する。
【０００７】
端子台１０の入力端子１３ｂは、電圧変成器２０から取り込まれる母線電圧のうち、例えばＶ相の入力ケーブル２ｂと電気的に接続され、出力端子１４ｂは、回路ＡにおけるＶ相の出力ケーブル４ｂと電気的に接続されている。  
端子台１０の入力端子１３ｃは、電圧変成器２０から取り込まれる母線電圧のうち、例えばＷ相の入力ケーブル２ｃと電気的に接続され、出力端子１４ｃは、回路ＡにおけるＷ相の出力ケーブル４ｃと電気的に接続されている。  
端子台１０の入力端子１３ｄは、電圧変成器２０から取り込まれる母線電圧のうちニュートラル相の入力ケーブル２ｄと電気的に接続され、出力端子１４ｄは、回路Ａにおけるニュートラル相の出力ケーブル４ｄと電気的に接続されている。
【０００８】
以上のように入力ケーブル２ａ、２ｂ、２ｃ、２ｄと、入力端子１３ａ、１３ｂ、１３ｃ、１３ｄを、それぞれ電気的に接続し、出力ケーブル４ａ、４ｂ、４ｃ、４ｄと、出力端子１４ａ、１４ｂ、１４ｃ、１４ｄを、それぞれ電気的に接続することによって、母線電圧の４相の電圧が、各々、回路Ａに印加されることになる。
【０００９】
母線電圧を使用する回路Ｂ（例えば保護回路）を端子台１０に増設する場合には、図１０に示すように、１つの入力端子と他の入力端子との接続用の短絡ケーブル３ａによって、入力端子１３ａと、例えば入力端子１３ｆとを電気的に接続し、出力端子１４ｆと回路ＢのＵ相の出力ケーブル６ａとを電気的に接続する。また、短絡ケーブル３ｂによって入力端子１３ｂと、例えば入力端子１３ｇとを電気的に接続し、出力端子１４ｇと回路ＢのＶ相の出力ケーブル６ｂとを電気的に接続する。また、短絡ケーブル３ｃによって入力端子１３ｃと、例えば入力端子１３ｈとを電気的に接続し、出力端子１４ｈと回路ＢのＷ相の出力ケーブル６ｃとを電気的に接続する。さらに、短絡ケーブル３ｄによって入力端子１３ｄと、例えば入力端子１３ｉとを電気的に接続し、出力端子１４ｉと回路Ｂのニュートラル相の出力ケーブル６ｄとを電気的に接続する。
【００１０】
図１２は、前述のように回路Ｂを増設する場合における、端子台１０の入力端子１３ａと出力端子１４ａの接続を示す平面図である。端子台１０の出力端子１４ａでは、螺子１６が、出力ケーブル４ａに設けられた圧着端子１５の開口部を通して螺子孔１２に螺合される。一方、端子台１０の入力端子１３ａでは、螺子１６が、入力ケーブル２ａの一端に設けられた圧着端子１５の開口部と、短絡ケーブル３ａの一端に設けられた圧着端子１５の開口部を通して、螺子孔１２に螺合されることになる。つまり、短絡ケーブル３ａを設ける場合、１つの入力端子１３ａに２個の圧着端子１５が接続されることになる。また、短絡ケーブル３ａは、入力端子１３ａと入力端子１３ｆの２箇所に接続することが必要である。短絡ケーブル３ｂ、３ｃ、３ｄを接続する場合も同様のことがいえる。
【００１１】
このように、短絡ケーブル３ａ、３ｂ、３ｃ、３ｄ、及び出力ケーブル６ａ、６ｂ、６ｃ、６ｄを端子台１０に接続することによって、母線電圧の４相の電圧は、回路Ａと回路Ｂとに並列に印加されることになる。  
尚、図１０に示すように入力端子１３ｅと出力端子１４ｅを共に未接続にしているのは、４相分毎の電圧のブロックを判別しやすくするためである。  
母線電圧を使用する回路をさらに増設する場合には、上記と同様の手順によって当該回路の各相の出力ケーブルと、入力端子間を接続する短絡ケーブルとを、端子台１０に接続すればよい。
【特許文献１】特開平９−２２７４８号公報
【発明の開示】
【発明が解決しようとする課題】
【００１２】
従来の端子台１０では、端子台１０に並設される入力端子１３ａ〜１３ｎと出力端子１４ａ〜１４ｎの数は固定となるため、出力側に回路を増設するのに伴い、未使用の入力端子及び出力端子が減少する。よって、増設される出力側の回路が出力端子と対応した数より多くなると、短絡ケーブル及び出力ケーブルを接続することが出来なくなるという問題点があった。逆に、出力側の回路が出力端子と対応した数より少ない場合には、入力端子及び出力端子が余るという問題点があった。
【００１３】
また、前述したように端子台１０には同色及び同形状の入力端子と出力端子が垂直方向に並んでいる。よって、ケーブルを本来接続するべき端子以外の端子に間違って繋いでしまうというミスが発生することがあるという問題点があった。例えば、回路Ｂの増設を行う場合、出力ケーブル６ａを、出力端子１４ｅ、又は出力端子１４ｇに間違って繋いでしまう可能性があった。
【００１４】
本発明はかかる課題に鑑みてなされたものであり、その目的とするところは、入出力間を従来よりも正確に接続することのできる端子台を提供することにある。
【課題を解決するための手段】
【００１５】
前記課題を解決するための発明は、複数相からなる電圧を印加するための複数の入力ケーブルが接続される複数の入力端子と、前記複数の入力端子と電気的に接続され、前記複数相からなる電圧を出力するための複数の出力ケーブルが接続される複数の出力端子と、複数の嵌合孔と、複数の嵌合片と、をユニットとし、前記ユニット同士を垂直方向に連結する場合、一の前記ユニットの前記複数の嵌合孔（又は前記複数の嵌合片）と他の前記ユニットの前記複数の嵌合片（又は前記複数の嵌合孔）が嵌合する、ことを特徴とする。
【００１６】
また、かかる端子台において、前記複数の入力端子の一端に連続するダミー入力端子と、前記複数の出力端子の一端に連続するダミー出力端子と、を備えることが好ましい。
【００１７】
また、かかる端子台において、前記複数の出力端子は、前記複数相からなる電圧の各相に応じて異なる色が付されることが好ましい。
【００１８】
また、かかる端子台において、末端となる前記ユニットは、前記複数の嵌合孔又は前記複数の嵌合片の一方のみを有することが好ましい。
【００１９】
また、かかる端子台において、前記ユニット同士を螺子で螺合するための垂直方向に貫通する螺子孔、を有することが好ましい。
【００２０】
また、前記課題を解決するための発明は端子台であり、複数相からなる電圧を印加するための複数の入力ケーブルが接続される複数の入力端子と、前記複数の入力端子と電気的に接続され、前記複数相からなる電圧を出力するための複数の出力ケーブルが接続される複数の第１出力端子と、前記複数の第１出力端子と電気的に接続される複数の導出端子を有する複数の第１嵌合孔と、をユニットとした基本端子台と、前記複数相からなる電圧を出力するための複数の出力ケーブルが接続される複数の第２出力端子と、前記複数の第２出力端子と電気的に接続される複数の導出端子を有する複数の第２嵌合孔と、前記複数の第２出力端子と電気的に接続される複数の導出端子を有する複数の嵌合片と、をユニットとした増設端子台と、を備え、前記基本端子台と前記増設端子台を垂直方向に連結する場合、前記複数の第１嵌合孔と前記複数の嵌合片が嵌合し、且つ、前記複数の第１嵌合孔と前記複数の嵌合片の導出端子同士が接触し、嵌合する前記複数の第１嵌合孔と前記複数の嵌合片では夫々、前記第１嵌合孔における導出端子と前記第１出力端子を介して電気的に接続される出力ケーブルの相と、前記嵌合片における導出端子と前記第２出力端子を介して電気的に接続される出力ケーブルの相とは同じであり、前記増設端子台同士を垂直方向に連結する場合、一の前記増設端子台の前記複数の第２嵌合孔と他の前記増設端子台の前記複数の嵌合片が嵌合し、且つ、一の前記増設端子台の前記複数の第２嵌合孔と他の前記増設端子台の前記複数の嵌合片の導出端子同士が接触し、嵌合する前記複数の第２嵌合孔と前記複数の嵌合片では夫々、前記第２嵌合孔における導出端子と前記第２出力端子を介して電気的に接続される出力ケーブルの相と、前記嵌合片における導出端子と前記第２出力端子を介して電気的に接続される出力ケーブルの相とは同じである、ことを特徴とする。
【００２１】
また、かかる端子台において、前記増設端子台は、前記複数の入力端子の一端に連続するダミー入力端子と、前記複数の第２出力端子の一端に連続するダミー出力端子と、を備えることが好ましい。
【００２２】
また、かかる端子台において、前記複数の第２出力端子は、前記複数相からなる電圧の各相に応じて異なる色が付されることが好ましい。
【００２３】
また、かかる端子台において、前記複数の第１出力端子は、前記複数相からなる電圧の各相に応じて、前記複数の第２出力端子と同一の異なる色が付されることが好ましい。
【００２４】
また、かかる端子台において、前記基本端子台は、前記増設端子台と螺子で螺合されるための垂直方向の第１螺子孔を有し、前記増設端子台は、前記基本端子台又は前記増設端子台と螺子で螺合されるための垂直方向に貫通する第２螺子孔を有する、ことが好ましい。
【発明の効果】
【００２５】
本発明によれば、入力ケーブルと、それに対応した出力ケーブルとを正確に繋げることができる。
【発明を実施するための最良の形態】
【００２６】
本明細書及び添付図面の記載により、少なくとも以下の事項が明らかとなる。
【００２７】
＝＝＝第１の実施形態＝＝＝
≪端子台の構成≫
図２を参照しつつ、本発明の第１の実施形態に係る端子台の構成について説明する。図２は、本発明の第１の実施形態に係る端子台の一例を示す図である。図２（ａ）は端子台の斜視図であり、図２（ｂ）は図２（ａ）に示すＡ−Ａ′における垂直方向の断面図である。尚、本発明の端子台は、ユニット化された１つの基本端子台と複数の増設端子台の組合せで構成される。本発明の第１の実施形態では、基本端子台と増設端子台は同じ構成で実現することができる。よって、以下の説明は基本端子台について説明する。
【００２８】
本実施形態において、入力端子に印加される電圧は従来と同様に電圧変成器２０から取り込まれる４相の母線電圧であることとし、従来と同一部分には同一符号を付し説明を省略する。  
また、端子台の各辺に沿って、図２に示すようにｘ方向、ｙ方向、ｚ方向とし、矢印の向きを＋側、矢印と反対側を−側とする。
【００２９】
本発明の第１の実施形態に係る基本端子台１００Ａは、例えば直方体で形成され、長手方向にケーブル接続面Ｆを有している。また、基本端子台１００Ａは、ケーブル接続面Ｆにおいて、ｘ方向の中心よりも−側に回路Ａへの出力ケーブル４ａ、４ｂ、４ｃ、４ｄが接続される４つの出力端子３４ａ、３４ｂ、３４ｃ、３４ｄを有し、ｘ方向の中心よりも＋側に４相の母線電圧を印加するための入力ケーブル２ａ、２ｂ、２ｃ、２ｄが接続される４つの入力端子３３ａ、３３ｂ、３３ｃ、３３ｄを有している。また、基本端子台１００Ａは、前記４つの入力端子３３ａ、３３ｂ、３３ｃ、３３ｄの−ｚ側に連続するダミー入力端子３３ｅと、前記４つの出力端子３４ａ、３４ｂ、３４ｃ、３４ｄの−ｚ側に連続するダミー出力端子３４ｅを有している。尚、ダミー入力端子３３ｅとダミー出力端子３４ｅは、基本端子台１００Ａの＋ｚ側の最上部に設けてもよい。
【００３０】
入力端子３３ａ、３３ｂ、３３ｃ、３３ｄと出力端子３４ａ、３４ｂ、３４ｃ、３４ｄは、導電体で形成されるとともに、隣接するもの同士（例えば入力端子３３ａと出力端子３４ａ）は、基本端子台１００Ａの内部で、例えば導線（不図示）によって電気的に接続されている。
【００３１】
さらに、基本端子台１００Ａは、＋ｚ側の面Ｕに設けられた嵌合片３０ａ、３０ｂ、３０ｃ、３０ｄと、−ｚ側の面Ｌに設けられた嵌合孔３２ａ、３２ｂ、３２ｃ（不図示）、３２ｄ（不図示）と、当該基本端子台１００Ａをｚ方向に貫通する螺子孔４０ａ、４０ｂ、４０ｃ、４０ｄと、を有している。
【００３２】
図２（ａ）において、嵌合片３０ａは、基本端子台１００Ａの面Ｕの中心Ｃ１よりもｘ方向−側、ｙ方向＋側に設けられ、螺子孔４０ａは嵌合片３０ａよりもｘ方向−側、ｙ方向＋側に設けられている。嵌合片３０ｂは、基本端子台１００Ａの面Ｕの中心Ｃ１よりもｘ方向−側、ｙ方向−側に設けられ、螺子孔４０ｂは嵌合片３０ｂよりもｘ方向−側、ｙ方向−側に設けられている。嵌合片３０ｃは、基本端子台１００Ａの面Ｕの中心Ｃ１よりもｘ方向＋側、ｙ方向＋側に設けられ、螺子孔４０ｃは嵌合片３０ｃよりもｘ方向＋側、ｙ方向＋側に設けられている。嵌合片３０ｄは、基本端子台１００Ａの面Ｕの中心Ｃ１よりもｘ方向＋側、ｙ方向−側に設けられ、螺子孔４０ｄは嵌合片３０ｄよりもｘ方向＋側、ｙ方向−側に設けられている。
【００３３】
尚、螺子孔４０ａ、４０ｂ、４０ｃ、４０ｄは、基本端子台１００Ａの面Ｕの対角線上の近傍にそれぞれ設けられている。また、嵌合片３０ａ、３０ｂ、３０ｃ、３０ｄは螺子孔４０ａ、４０ｂ、４０ｃ、４０ｄよりも中心Ｃ１寄りの、例えば前記対角線上にそれぞれ設けられている。
【００３４】
また、１つの端子台（例えば基本端子台１００Ａ）の嵌合片３０ａ、３０ｂ、３０ｃ、３０ｄは、他の端子台（例えば後述する増設端子台１００Ｂ）の嵌合孔３２ａ、３２ｂ、３２ｃ、３２ｄとそれぞれ嵌合するように設けられている。
【００３５】
即ち、基本端子台１００Ａの嵌合片３０ａ、３０ｂ、３０ｃ、３０ｄを、増設端子台１００Ｂの嵌合孔３２ａ、３２ｂ、３２ｃ、３２ｄにそれぞれ嵌合することによって、基本端子台１００Ａと増設端子台１００Ｂをｚ方向（垂直方向）に連結することができる。
【００３６】
≪端子台の増設≫
図１及び図３を参照しつつ、回路を増設することに伴う端子台の増設について説明する。図１及び図３は、回路を増設することに伴う端子台の増設について説明するための斜視図である。尚、本実施の形態では、端子台を２つまで増設する場合について説明する。
【００３７】
図１に示すように基本端子台１００Ａの入力端子３３ａには入力ケーブル２ａが電気的に接続され、出力端子３４ａには出力ケーブル４ａが電気的に接続される。尚、各ケーブルの接続方法は、図１１に示す従来の方法と同様であり、入力ケーブル２ａ及び出力ケーブル４ａの一端には圧着端子１５が設けられている。以下、ケーブルの接続方法については説明を省略する。
【００３８】
入力端子３３ｂには入力ケーブル２ｂが電気的に接続され、出力端子３４ｂには出力ケーブル４ｂが電気的に接続される。  
また、入力端子３３ｃには入力ケーブル２ｃが電気的に接続され、出力端子３４ｃには出力ケーブル４ｃが電気的に接続される。  
また、入力端子３３ｄには入力ケーブル２ｄが電気的に接続され、出力端子３４ｄには出力ケーブル４ｄが電気的に接続される。  
以上の接続によって、母線電圧の各相の電圧が回路Ａに出力されることになる。
【００３９】
回路Ｂを増設することに伴って端子台（増設端子台１００Ｂ）を増設する場合、増設端子台１００Ｂの出力端子３４ａ、３４ｂ、３４ｃ、３４ｄに、出力ケーブル６ａ、６ｂ、６ｃ、６ｄをそれぞれ電気的に接続し、増設端子台１００Ｂの面Ｌの嵌合孔３２ａ、３２ｂ、３２ｃ、３２ｄと、基本端子台１００Ａの面Ｕの嵌合片３０ａ、３０ｂ、３０ｃ、３０ｄをそれぞれ嵌合する。次に、図２に示すように、増設端子台１００Ｂの、例えば螺子孔４０ｂと、基本端子台１００Ａの螺子孔４０ｂとを螺子５０ｂ（雄螺子）でｚ方向−側に螺合させる。さらに、増設端子台１００Ｂの螺子孔４０ｃと、基本端子台１００Ａの螺子孔４０ｃとを螺子５０ｃ（雄螺子）でｚ方向−側に螺合させる。このことにより、基本端子台１００Ａと増設端子台１００Ｂを確実にｚ方向に連結することができる。
【００４０】
さらに、図３に示すように、増設端子台１００Ｂの入力端子３３ａと、基本端子台１００Ａの入力端子３３ａとを短絡ケーブル３ａで電気的に接続する。また、増設端子台１００Ｂの入力端子３３ｂと、基本端子台１００Ａの入力端子３３ｂとを短絡ケーブル３ｂで電気的に接続する。また増設端子台１００Ｂの入力端子３３ｃと、基本端子台１００Ａの入力端子３３ｃとを短絡ケーブル３ｃで電気的に接続する。そして、増設端子台１００Ｂの入力端子３３ｄと、基本端子台１００Ａの入力端子３３ｄとを短絡ケーブル３ｄで電気的に接続する。
【００４１】
このように、基本端子台１００Ａに増設端子台１００Ｂを連結し、出力ケーブル６ａ、６ｂ、６ｃ、６ｄ及び短絡ケーブル３ａ、３ｂ、３ｃ、３ｄを接続することによって、母線電圧の各相の電圧が、回路Ａと回路Ｂとに並列に印加されることになる。
【００４２】
さらに、回路Ｃを増設することに伴って端子台（増設端子台１００Ｃ）を増設する場合、図３に示すように、増設端子台１００Ｃの出力端子３４ａに回路ＣのＵ相の出力ケーブル８ａを電気的に接続し、出力端子３４ｂに回路ＣのＶ相の出力ケーブル８ｂを電気的に接続し、出力端子３４ｃに回路ＣのＷ相の出力ケーブル８ｃを電気的に接続し、出力端子３４ｃに回路Ｃのニュートラル相の出力ケーブル８ｄを電気的に接続する。そして、増設端子台１００Ｃの面Ｌの嵌合孔３２ａ、３２ｂ、３２ｃ、３２ｄと増設端子台１００Ｂの面Ｕの嵌合電３０ａ、３０ｂ、３０ｃ、３０ｄとをそれぞれ嵌合する。さらに、増設端子台１００Ｃの入力端子３３ａ、３３ｂ、３３ｃ、３３ｄと、増設端子台１００Ｂの入力端子３３ａ、３３ｂ、３３ｃ、３３ｄをそれぞれ短絡ケーブル（不図示）で電気的に接続する。
【００４３】
そして、増設端子台１００Ｃの、螺子孔４０ａと、増設端子台１００Ｂの螺子孔４０aとを螺子５０ａ（雄螺子）でｚ方向−側に螺合し、さらに、増設端子台１００Ｃの螺子孔４０ｄと、増設端子台１００Ｂの螺子孔４０ｄとを螺子５０ｄ（雄螺子）でｚ方向−側に螺合する。このように、増設端子台１００Ｂ、１００Ｃの面Ｕの対角線となる螺子孔４０ａ、４０ｄと、螺子孔４０ｂ、４０ｃを、螺子５０ａ、５０ｄと螺子５０ｂ、５０ｃによって交互に螺合させていくことにより、各端子台にかかる応力を分散させることができ、基本端子台１００Ａ、増設端子台１００Ｂ、１００Ｃをｚ方向に安定して連結することができる。
【００４４】
尚、基本端子台１００Ａ及び増設端子台１００Ｂ、１００Ｃに設けられる嵌合片３０ａ、３０ｂ、３０ｃ、３０ｄ、嵌合孔３２ａ、３２ｂ、３２ｃ、３２ｄ、螺子孔４０ａ、４０ｂ、４０ｃ、４０ｄの数および配置は本実施形態の構成に限定されない。例えば、嵌合片及び嵌合孔を５つ以上、又は３つ以下としてもよい。また、螺子孔４０ａ、４０ｂ、４０ｃ、４０ｄを、基本端子台１００Ａ及び増設端子台１００Ｂ、１００Ｃの面Ｕの各辺の中点付近に設けてもよい。
【００４５】
このように、基本端子台１００Ａ、及び増設端子台１００Ｂ、１００Ｃの面Ｕに嵌合片３０ａ、３０ｂ、３０ｃ、３０ｄを設け、面Ｌに嵌合孔３２ａ、３２ｂ、３２ｃ、３２ｄを設けているため、必要に応じて基本端子台１００Ａに複数の増設端子台１００Ｂ、１００Ｃをｚ方向に連結していくことができる。
【００４６】
尚、基本端子台１００Ａ、及び増設端子台１００Ｂ、１００Ｃの面Ｕに嵌合孔を設け、端子台の面Ｌに嵌合片を設けてもよい。この場合、例えば、基本端子台１００Ａの嵌合片を受け入れる孔を有する基台を当該基本端子台１００Ａの下に設置し、基本端子台１００Ａと基台とを、例えば螺子などによって固定するようにすればよい。
【００４７】
また、基本端子台１００Ａ、及び増設端子台１００Ｂ、１００Ｃの面Ｕの嵌合片３０ａ、３０ｂ、３０ｃ、３０ｄの一部を嵌合孔とし、その他を嵌合片としてもよい。その場合、面Ｌには面Ｕの嵌合孔に対応して嵌合片が設けられ、面Ｕの嵌合片に対応して嵌合孔が設けられることになる。
【００４８】
また、各端子台の−ｚ側にダミー入力端子３３ｅとダミー出力端子３４ｅを設けることにより、基本端子台１００Ａと増設端子台１００Ｂ、１００Ｃを連結した場合に、４相毎の区切りを判別しやすくなり、入力ケーブル２ａ〜２ｄ、出力ケーブル４ａ〜４ｄ、６ａ〜６ｄ、８ａ〜８ｄ、短絡ケーブル３ａ〜３ｄを接続するべき端子に正確に接続することができる。
【００４９】
また、各端子台の出力端子３４ａ、３４ｂ、３４ｃ、３４ｄ、３４ｅに、例えば４相の母線電圧の各相に応じて異なる色が付されると、さらに相の判別が容易になり、入力ケーブル２ａ〜２ｄ、出力ケーブル４ａ〜４ｄ、６ａ〜６ｄ、８ａ〜８ｄ、短絡ケーブル３ａ〜３ｄを接続するべき端子に正確に接続することができる。尚、色を付すには、例えば出力端子３４ａ、３４ｂ、３４ｃ、３４ｄ、３４ｅに色を塗付けてもよいし、所定の色のシールを貼り付けてもよい。又は、端子台を一体形成する際に、端子台を構成する樹脂に色を付けるようにしてもよい。
【００５０】
＝＝＝第２の実施形態＝＝＝
図４は、本発明の第２の実施形態に係る端子台の一例を説明するための斜視図である。本発明の第２実施形態に係る端子台は、基本端子台２００Ａと増設端子台２００Ｂ、２００Ｃを有して構成される。尚、入力端子に印加される電圧は、第１の実施形態と同様、電圧変成器２０から取り込まれる４相の母線電圧であるこことする。また、端子台の各辺に沿って、図４に示すようにｘ方向、ｙ方向、ｚ方向とし、矢印の向きを＋側、矢印と反対側を−側とする。
【００５１】
≪基本端子台≫
本発明の第２の実施形態に係る基本端子台２００Ａは、例えば直方体で形成され、長手方向にケーブル接続面Ｆを有している。また、基本端子台２００Ａは、ケーブル接続面Ｆにおいて、ｘ方向の中心よりも−側に回路Ａへの出力ケーブル４ａ、４ｂ、４ｃ、４ｄが接続される４つの出力端子４４ａ、４４ｂ、４４ｃ、４４ｄ（第１出力端子）を有し、ｘ方向の中心よりも＋側に４相の母線電圧を印加するための入力ケーブル２ａ、２ｂ、２ｃ、２ｄが接続される４つの入力端子４３ａ、４３ｂ、４３ｃ、４３ｄを有している。
【００５２】
入力端子４３ａ、４３ｂ、４３ｃ、４３ｄと出力端子４４ａ、４４ｂ、４４ｃ、４４ｄは、導電体で形成されるとともに、隣接するもの同士（例えば入力端子４３ａと出力端子４４ａ）は基本端子台２００Ａの内部で例えば導線（不図示）によって電気的に接続されている。
【００５３】
また、基本端子台２００Ａは、＋ｚ側の面Ｕに設けられた嵌合孔６０ａ、６０ｂ、６０ｃ、６０ｄ（第１嵌合孔）と、螺子孔７０ａ、７０ｂ、７０ｃ、７０ｄ（第１螺子孔）を有している。
【００５４】
嵌合孔６０ａは、基本端子台２００Ａの面Ｕにおける中心Ｃ２よりもｘ方向−側、ｙ方向＋側に設けられ、螺子孔７０ａは嵌合孔６０ａよりもｘ方向−側、ｙ方向＋側に設けられている。嵌合孔６０ｂは、基本端子台２００Ａの面Ｕにおける中心Ｃ２よりもｘ方向−側、ｙ方向−側に設けられ、螺子孔７０ｂは嵌合孔６０ｂよりもｘ方向−側、ｙ方向−側に設けられている。嵌合孔６０ｃは、基本端子台２００Ａの面Ｕにおける中心Ｃ２よりもｘ方向＋側、ｙ方向＋側に設けられ、螺子孔７０ｃは嵌合孔６０ｃよりもｘ方向＋側、ｙ方向＋側に設けられている。嵌合孔６０ｄは、基本端子台２００Ａの面Ｕにおける中心Ｃ２よりもｘ方向＋側、ｙ方向−側に設けられ、螺子孔７０ｄは嵌合孔６０ｄよりもｘ方向＋側、ｙ方向−側に設けられている。
【００５５】
尚、螺子孔７０ａ、７０ｂ、７０ｃ、７０ｄは、基本端子台２００Ａの面Ｕの対角線上の近傍にそれぞれ設けられている。また、嵌合孔６０ａ、６０ｂ、６０ｃ、６０ｄは、螺子孔７０ａ、７０ｂ、７０ｃ、７０ｄよりも中心Ｃ２寄りの、例えば前記対角線上にそれぞれ設けられている。螺子孔７０ａ、７０ｂ、７０ｃ、７０ｄは、基本端子台２００Ａのｚ方向に沿って設けられるものであり、当該基本端子台２００Ａを貫通していてもよいし、貫通していなくてもよい。
【００５６】
また、嵌合孔６０ａ、６０ｂ、６０ｃ、６０ｄには、例えば孔の底面に、出力端子４４ａ、４４ｂ、４４ｃ、４４ｄの電圧が導き出される導出端子が設けられている。導出端子としては、例えば、出力端子４４ａ、４４ｂ、４４ｃ、４４ｄとそれぞれ電気的に接続された導線の端部を嵌合孔６０ａ、６０ｂ、６０ｃ、６０ｄの底面から露出させてもよいし、嵌合孔６０ａ、６０ｂ、６０ｃ、６０ｄの例えば底面を導電体で形成し、出力端子４４ａ、４４ｂ、４４ｃ、４４ｄと前記導電体を導線などによってそれぞれ電気的に接続してもよい。前者の場合、導線の端部が導出端子となり、後者の場合、導電体が導出端子となる。
【００５７】
図５は、図４に示すＢ−Ｂ′の断面の一例を示す断面図である。  
基本端子台２００Ａの出力端子４４ａの電圧は、配線２２ａによって嵌合孔６０ａの導出端子に導出される。また、出力端子４４ｂの電圧は、配線２２によって嵌合孔６０ｂの導出端子に導出される。また、出力端子４４ｃの電圧は、配線２２ｃによって嵌合孔６０ｃの導出端子に導出される。さらに、出力端子４４ｄの電圧は、配線２２ｄによって嵌合孔６０ｄの導出端子に導出される。尚、配線２２ａ、２２ｂ、２２ｃ、２２ｄは、両端の接続箇所を除く部分が絶縁物で被膜された導線である。
【００５８】
≪増設端子台≫
本発明の第２の実施形態に係る増設端子台２００Ｂ、２００Ｃは同じ構成とすることができる。以下の説明では増設端子台２００Ｂについて説明する。増設端子台２００Ｂは、例えば直方体で形成され、長手方向にケーブル接続面Ｆを有している。また、基本端子台２００Ａは、ケーブル接続面Ｆにおいて、ｘ方向の中心よりも−側に、回路Ｂへの出力ケーブル６ａ、６ｂ、６ｃ、６ｄが接続される４つの出力端子５４ａ、５４ｂ、５４ｃ、５４ｄ（第２出力端子）と、前記４つの出力端子５４ａ、５４ｂ、５４ｃ、５４ｄの−ｚ側に連続するダミー出力端子５４ｅを有している。また、増設端子台２００Ｂは、ケーブル接続面Ｆにおいて、ｘ方向の中心よりも＋側に各出力端子と並設されたダミー入力端子５３ａ、５３ｂ、４３ｃ、５４ｄ、５４ｅを有している。
【００５９】
さらに、増設端子台２００Ｂは、−ｚ側の面Ｌに設けられた嵌合片８２ａ、８２ｂ、８２ｃ、８２ｄ（嵌合片）と、＋ｚ側の面Ｕに設けられた嵌合孔８０ａ、８０ｂ、８０ｃ、８０ｄ（第２嵌合孔）、及び螺子孔７２ａ、７２ｂ、７２ｃ、７２ｄと、を有している。
【００６０】
嵌合片８２ａ、８２ｂ、８２ｃ、８２ｄは、増設端子台２００Ｂの面Ｌにおいて、基本端子台２００Ａの嵌合孔６０ａ、６０ｂ、６０ｃ、６０ｄとそれぞれ嵌合可能な位置に設けられたものである。嵌合片８２ａ、８２ｂ、８２ｃ、８２ｄの−ｚ側には、例えば導電体で形成された導出端子（不図示）が設けられている。導出端子としては、例えば、出力端子５４ａ、５４ｂ、５４ｃ、５４ｄと電気的に接続された導線の端部を嵌合片８２ａ、８２ｂ、８２ｃ、８２ｄの先端部から露出させてもよいし、嵌合片８２ａ、８２ｂ、８２ｃ、８２ｄの先端部を導電体で形成し、出力端子５４ａ、５４ｂ、５４ｃ、５４ｄと前記導電体を導線などによってそれぞれ電気的に接続してもよい。前者の場合、導線の端部が導出端子となり、後者の場合、導電体が導出端子となる。
【００６１】
嵌合孔８０ａ、８０ｂ、８０ｃ、８０ｄは、増設端子台２００Ｂの面Ｕにおいて、他の増設端子台（例えば増設端子台２００Ｃ）の嵌合片８２ａ、８２ｂ、８２ｃ、８２ｄとそれぞれ嵌合可能な位置に設けられたものである。また、嵌合孔８０ａ、８０ｂ、８０ｃ、８０ｄには、例えば孔の底面に、出力端子５４ａ、５４ｂ、５４ｃ、５４ｄの電圧が導き出される導出端子が設けられている。導出端子としては、例えば、出力端子５４ａ、５４ｂ、５４ｃ、５４ｄとそれぞれ電気的に接続された導線の端部を嵌合孔８０ａ、８０ｂ、８０ｃ、８０ｄの底面から露出させてもよいし、嵌合孔８０ａ、８０ｂ、８０ｃ、８０ｄの例えば底面を導電体で形成し、出力端子５４ａ、５４ｂ、５４ｃ、５４ｄと前記導電体を導線などによってそれぞれ電気的に接続してもよい。前者の場合、導線の端部が導出端子となり、後者の場合、導電体が導出端子となる。
【００６２】
螺子孔７２ａ、７２ｂ、７２ｃ、７２ｄは、増設端子台２００Ｂをｚ方向に貫通して設けられ、他の増設端子台の螺子孔７２ａ、７２ｂ、７２ｃ、７２ｄ、及び基本端子台２００Ａの螺子孔７０ａ、７０ｂ、７０ｃ、７０ｄと、それぞれ螺子５０ａ、５０ｂ、５０ｃ、５０ｄによって螺合可能となっている。
【００６３】
尚、増設端子台２００Ｂの内部において、出力端子５４ａの電圧は、嵌合孔８０ａの導出端子と嵌合片８２ａの導出端子に導出される。また、出力端子５４ｂの電圧は、嵌合孔８０ｂの導出端子と嵌合片８２ｂの導出端子に導出される。また、出力端子５４ｃの電圧は、嵌合孔８０ｃの導出端子と嵌合片８２ｃの導出端子に導出される。さらに、出力端子５４ｄの電圧は、嵌合孔８０ｄの導出端子と嵌合片８２ｄの導出端子に導出される。
【００６４】
≪端子台の増設≫
以下、図４、図６を参照しつつ、回路を増設することに伴う端子台の増設について説明する。図６は、端子台の増設を説明するための斜視図である。
【００６５】
基本端子台２００Ａの入力端子４３ａには入力ケーブル２ａが電気的に接続され、出力端子４４ａには出力ケーブル４ａが電気的に接続される。尚、各ケーブルの接続方法は第１の実施形態と同じであるため説明を省略する。  
また、入力端子４３ｂは入力ケーブル２ｂと電気的に接続され、出力端子４４ｂは出力ケーブル４ｂと電気的に接続される。  
また、入力端子４３ｃは入力ケーブル２ｃと電気的に接続され、出力端子４４ｃには出力ケーブル４ｃと電気的に接続される。  
また、入力端子４３ｄは入力ケーブル２ｄと電気的に接続され、出力端子４４ｄには出力ケーブル４ｄと電気的に接続される。  
以上の接続により母線電圧の各相の電圧は、回路Ａに出力されるとともに、基本端子台２００Ａの嵌合孔６０ａ、６０ｂ、６０ｃ、６０ｄの導出端子に、それぞれ印加される。
【００６６】
回路Ｂを増設することに伴って端子台（増設端子台２００Ｂ）を増設する場合、図４に示すように、増設端子台２００Ｂの出力端子５４ａと出力ケーブル６ａとを電気的に接続し、出力端子５４ｂと出力ケーブル６ｂとを電気的に接続し、出力端子５４ｃと出力ケーブル６ｃとを電気的に接続し、出力端子５４ｄと出力ケーブル６ｄとを電気的に接続する。
【００６７】
そして、増設端子台２００Ｂの面Ｌの嵌合片８２ａ、８２ｂ、８２ｃ、８２ｄと基本端子台２００Ａの面Ｕの嵌合孔６０ａ、６０ｂ、６０ｃ、６０ｄとをそれぞれ嵌合する。
【００６８】
この嵌合により、嵌合片８２ａ、８２ｂ、８２ｃ、８２ｄの導出端子と嵌合孔６０ａ、６０ｂ、６０ｃ、６０ｄの導出端子が接触する。すると、基本端子台２００Ａの入力端子４３ａ、４３ｂ、４３ｃ、４３ｄは、基本端子台２００Ａの出力端子４４ａ、４４ｂ、４４ｃ、４４ｄと増設端子台２００Ｂの出力端子５４ａ、５４ｂ、５４ｃ、５４ｄに、それぞれ、電気的に接続される。よって、母線電圧の各相の電圧は、回路Ａと回路Ｂとに並列に印加されることになる。
【００６９】
さらに、例えば増設端子台２００Ｂの螺子孔７２ｂと基本端子台２００Ａの螺子孔７０ｂとを螺子５０ｂでｚ方向−側に螺合し、さらに、増設端子台２００Ｂの螺子孔７２ｃと基本端子台２００Ａの螺子孔７０ｃとを螺子５０ｃでｚ方向−側に螺合する。このことにより、基本端子台２００Ａと増設端子台２００Ｂとの連結を確実に行うことができる。
【００７０】
さらに、回路Ｃを増設することに伴い端子台（増設端子台２００Ｃとする）を増設する場合、増設端子台２００Ｃの出力端子５４ａと出力ケーブル８ａとを電気的に接続する。また、増設端子台２００Ｃの出力端子５４ｂと出力ケーブル８ｂとを電気的に接続し、増設端子台２００Ｃの出力端子５４ｃと出力ケーブル８ｃとを電気的に接続し、増設端子台２００Ｃの出力端子５４ｄと出力ケーブル８ｄとを電気的に接続する。
【００７１】
そして、図６に示すように増設端子台２００Ｃの面Ｌの嵌合片８２ａ、８２ｂ、８２ｃ、８２ｄと増設端子台２００Ｂの面Ｕの嵌合孔８０ａ、８０ｂ、８０ｃ、８０ｄとをそれぞれ嵌合する。このことにより、増設端子台２００Ｃの嵌合片８２ａ、８２ｂ、８２ｃ、８２ｄの導出端子と増設端子台２００Ｂの嵌合孔８０ａ、８０ｂ、８０ｃ、８０ｄの導出端子とが接触する。すると、増設端子台２００Ｃの出力端子５４ａ、５４ｂ、５４ｃ、５４ｄは、増設端子台２００Ｂの出力端子５４ａ、５４ｂ、５４ｃ、５４ｄに、それぞれ電気的に接続される。従って、母線電圧の各相の電圧は、回路Ａ、回路Ｂおよび回路Ｃに並列に印加されることになる。
【００７２】
さらに、増設端子台２００Ｃの螺子孔７２ａと増設端子台２００Ｂの螺子孔７２ａとを螺子５０ａでｚ方向−側に螺合し、さらに、増設端子台２００Ｃの螺子孔７２ｄと、増設端子台２００Ｂの螺子孔７２ｄとを螺子５０ｄでｚ方向−側に螺合する。このように、増設端子台２００Ｂ、２００Ｃの面Ｕの対角線となる螺子孔７２ａ、７２ｄと、螺子孔７２ｂ、７２ｃを、螺子５０ａ、５０ｄと螺子５０ｂ、５０ｃによって交互に螺合させていくことにより、各端子台にかかる応力を分散させることができ、基本端子台２００Ａ、増設端子台２００Ｂ、２００Ｃをｚ方向に安定して連結することができる。
【００７３】
このように、第２の実施形態では、基本端子台２００Ａに増設端子台２００Ｂ、２００Ｃを連結することによって、基本端子台２００Ａの入力端子４３ａ、４３ｂ、４３ｃ、４３ｄの各電圧が基本端子台２００Ａの出力端子４４ａ、４４ｂ、４４ｃ、４４ｄ及び増設端子台２００Ｂ、２００Ｃの出力端子５４ａ、５４ｂ、５４ｃ、５４ｄにそれぞれ並列に出力されることになる。よって、増設端子台２００Ｂ、２００Ｃの増設に際して、１つの入力端子と他の入力端子とを電気的に接続する短絡ケーブルを設ける必要がないので、増設に要する時間を短縮することができるとともに入力ケーブル２ａ〜２ｄ、出力ケーブル４ａ〜４ｄ、６ａ〜６ｄ、８ａ〜８ｄの接続を正確かつ容易に行うことができる。また、短絡ケーブルを設ける場合、図１２に示すように１つの入力端子に２つの圧着端子１５が接続されると、螺子１６の締め付けが悪化する場合があるが、第２の実施形態では、１つの入力端子につき、１つの圧着端子１５のみが接続されることになるので、螺子１６の締め付けが悪化することを防止できる。
【００７４】
また、増設端子台２００Ｂ、２００Ｃの−ｚ側の最下部にダミー入力端子５３ｅとダミー出力端子５４ｅを設けることにより、基本端子台２００Ａと増設端子台２００Ｂ、２００Ｃとを複数連結した場合に、電圧の相毎の区切りを判別しやすくなり、入力ケーブル２ａ〜２ｄ、出力ケーブル４ａ〜４ｄ、６ａ〜６ｄ、８ａ〜８ｄを接続するべき端子に正確に接続することができる。
【００７５】
また、基本端子台２００Ａの出力端子４４ａ、４４ｂ、４４ｃ、４４ｄおよび増設端子台２００Ｂ、２００Ｃの出力端子５４ａ、５４ｂ、５４ｃ、５４ｄに、例えば４相の母線電圧の各相に応じて異なる色が付されると、さらに各相の判別が容易になり、入力ケーブル２ａ〜２ｄ、出力ケーブル４ａ〜４ｄ、６ａ〜６ｄ、８ａ〜８ｄを接続するべき端子に正確に接続することができる。尚、色を付すには、例えば出力端子３４ａ、３４ｂ、３４ｃ、３４ｄ、３４ｅに色を塗付けてもよいし、所定の色のシールを貼り付けてもよい。又は、端子台を一体形成する際に、端子台を構成する樹脂に色を付けるようにしてもよい。
【００７６】
本実施形態では、増設端子台２００Ｂ、２００Ｃの面Ｕに嵌合孔８０ａ、８０ｂ、８０ｃ、８０ｄを設け、面Ｌに嵌合片８２ａ、８２ｂ、８２ｃ、８２ｄを設けることとしたが、増設端子台２００Ｂ、２００Ｃの面Ｕに嵌合片を設け、面Ｌに嵌合孔を設けてもよい。その場合、基本端子台２００Ａの面Ｕには嵌合孔８０ａ、８０ｂ、８０ｃ、８０ｄと嵌合する嵌合片が設けられることとなる。
【００７７】
また、増設端子台２００Ｂ、２００Ｃの面Ｕの嵌合孔８０ａ、８０ｂ、８０ｃ、８０ｄの一部を嵌合片とし、その他を嵌合孔としてもよい。その場合、面Ｌには面Ｕの嵌合孔に対応して嵌合片が設けられ、面Ｕの嵌合片に対応して嵌合孔が設けられることになる。さらに、基本端子台２００Ａの面Ｕにも増設端子台２００Ｂ、２００Ｃの面Ｕの同様に嵌合片と嵌合孔が設けられる。
【００７８】
また、嵌合孔６０ａ、６０ｂ、６０ｃ、６０ｄ、８０ａ、８０ｂ、８０ｃ、８０ｄの底面に導出端子を設け、嵌合片８２ａ、８２ｂ、８２ｃ、８２ｄの先端に導出端子を設けることとしたが、嵌合孔８０ａ、８０ｂ、８０ｃ、８０ｄの孔部分全面を導電体で形成した導出端子とし、嵌合片８２ａ、８２ｂ、８２ｃ、８２ｄ全体を導電体で形成した導出端子としてもよい。
【００７９】
なお、図４において、基本端子台２００Ａと増設端子台２００Ｂとを連結する場合、基本端子台２００Ａの嵌合孔６０ａ、６０ｂ、６０ｃ、６０ｄの導出端子と、増設端子台２００Ｂの嵌合片８２ａ、８２ｂ、８２ｃ、８２ｄの導出端子とを、それぞれ確実に接触させることが必要である。同様に、図６において、増設端子台２００Ｂと増設端子台２００Ｃとを連結する場合、増設端子台２００Ｂの嵌合孔８０ａ、８０ｂ、８０ｃ、８０ｄの導出端子と、増設端子台２００Ｃの嵌合片８２ａ、８２ｂ、８２ｃ、８２ｄの導出端子とを、それぞれ確実に接触させることが必要である。
【００８０】
図７（ａ）は導出端子同士の接触を確実に行うための一例を示す断面図であり、増設端子台２００Ｂと増設端子台２００Ｃとを連結する場合について示したものである。図７（ａ）では、嵌合孔８０ｂ、８０ｄを含むｘ方向の断面を示しているが、嵌合孔８０ａ、８０ｃを含むｘ方向の断面についても同様であることとする。また、図７（ｂ）は、図７（ａ）に示す緩衝部材３００の斜視図である。
【００８１】
緩衝部材３００は、絶縁物（例えばゴム）で構成され、増設端子台２００Ｂの嵌合孔８０ａ、８０ｂ、８０ｃ、８０ｄとそれぞれ対応する位置に貫通孔９０ａ、９０ｂ、９０ｃ、９０ｄが設けられている。また、螺子孔７２ａ、７２ｂ、７２ｃ、７２ｄとそれぞれ対応する位置に螺子孔７４ａ、７４ｂ、７４ｃ、７４ｄが設けられている。
【００８２】
また、増設端子台２００Ｂの嵌合孔８０ｂ、８０ｄのｘ方向の直径は、ｚ方向−側になるほ短くなるように設けられている。つまり、図７（ａ）に示すように断面は台形形状となっている。そして、図６に示す出力端子５４ｂと電気的に接続された導出端子、および出力端子５４ｄと電気的に接続された導出端子を、それぞれ嵌合孔８０ｂ、８０ｄの内周部に沿って露出させる（図中斜線部分）。
【００８３】
これに対して、増設端子台２００Ｃの嵌合片８２ｂ、８２ｄのｘ方向の直径は、ｚ方向−側になるほど短くなるように設けられている。つまり、図７（ａ）に示すように断面は台形形状となっている。なお、嵌合片８２ｂ、８２ｄのｘ方向の直径がｚ方向−側になるほど短くなる度合は、嵌合孔８０ｂ、８０ｄのｘ方向の直径がｚ方向−側になるほど短くなる度合よりも小さくなるようにしておく。こうすることにより、嵌合片８２ｂ、８２ｄと嵌合孔８０ｂ、８０ｄとをそれぞれ嵌合する場合、嵌合片８２ｂ、８２ｄの先端の角の部分及びその近傍を、嵌合孔８０ｂ、８０ｄの導出端子に確実に圧着させることができる。
【００８４】
ここで、嵌合片８２ｂ、８２ｄのｚ方向の長さ（ｄ１）は、嵌合孔８０ｂ、８０ｄのｚ方向の長さ（ｄ２）よりも短く、さらに、嵌合孔８０ｂ、８０ｄと嵌合する場合、斜線で示す導出端子に十分接触可能な長さとする。また、嵌合片８２ｂ、８２ｄのｘ方向の長さ（直径）は、嵌合孔８０ｂ、８０ｄと嵌合する場合に、嵌合孔８０ｂ、８０ｄの導出端子に十分接触可能な長さとする。
【００８５】
なお、嵌合片８２ｂ、８２ｄにおいて、全体を導出端子としない場合には、嵌合片８２ｂ、８２ｄの外周部のうちの嵌合孔８０ｂ、８０ｄの導出端子と接触する少なくとも一部分、又は先端（−ｚ側）に導出端子を設けておくようにする。先端に導出端子を設ける場合には、嵌合孔８０ｂ、８０ｄとそれぞれ嵌合した際に、嵌合孔８０ｂ、８０ｄの底部（−ｚ側）の導出端子と嵌合片８２ｂ、８２ｄの導出端子が接触するべくｄ１、及びｄ２の長さを設定しておく。
【００８６】
そして、例えば、増設端子台２００Ｃの螺子孔７２ｄ、緩衝部材３００の貫通孔７４ｄ、増設端子台２００Ｂの螺子孔７２ｄを、螺子５０ｄでｚ方向−側に螺合し、増設端子台２００Ｃの螺子孔７２ａ、緩衝部材３００の貫通孔７４ａ、増設端子台２００Ｂの螺子孔７２ａを、螺子５０ａでｚ方向−側に螺合する。螺子５０ｂと螺子５０ｃで螺合する場合も同様である。
【００８７】
螺子５０ａと螺子５０ｄの締め付け、又は螺子５０ｂと螺子５０ｃの締め付けにより、嵌合片８２ａ、８２ｂ、８２ｃ、８２ｄが、嵌合孔８０ａ、８０ｂ、８０ｃ、８０ｄの導出端子と接触するまで緩衝部材３００が圧縮されて、増設端子台２００Ｂと増設端子台２００Ｃが連結される。こうすることにより、嵌合片８２ａ、８２ｂ、８２ｃ、８２ｄの導出端子と、嵌合孔８０ａ、８０ｂ、８０ｃ、８０ｄの導出端子とを確実に接触させることができる。
【００８８】
なお、基本端子台２００Ａと増設端子台２００Ｂとの連結や、それ以外の増設端子台同士とを連結する際も同様の構成、及び緩衝部材３００を用いて連結することによって、確実に導出端子を接触させるようにすることができる。
【００８９】
また、本実施形態において、図６のように基本端子台２００Ａに増設端子台２００Ｂ、２００Ｃを連結する場合、＋ｚ方向最上部となる増設端子台２００Ｃの嵌合孔８０ａ、８０ｂ、８０ｃ、８０ｄは露出した状態となっている。ここに導電物などが挟まったりすると導出端子同士が短絡する恐れがある。そこで、＋ｚ方向の最上部となる増設端子台（例えば増設端子台２００Ｃ）、あるいは、増設端子台を設けていない場合には基本端子台２００Ａに、図８（ａ）に示すような末端端子台２００Ｄを連結するようにしてもよい。図８（ａ）は、末端端子台２００Ｄの一例を説明するための斜視図である。また、図８（ｂ）は末端端子台２００Ｄの側面図の一例である。
【００９０】
末端端子台２００Ｄは、樹脂などの絶縁物で形成され、−ｚ側の面において、増設端子台２００Ｃの嵌合孔８０ａ、８０ｂ、８０ｃ、８０ｄと嵌合可能な位置にそれぞれ嵌合片８４ａ、８４ｂ、８４ｃ、８４ｄが設けられている。嵌合片８４ａ、８４ｂ、８４ｃ、８４ｄのｚ方向の長さ（ｄ３）は、増設端子台２００Ｃの嵌合孔８０ａ、８０ｂ、８０ｃ、８０ｄの深さ（ｚ方向の長さ）よりも短くしておく。また、嵌合片８４ａ、８４ｂ、８４ｃ、８４ｄの直径は、それぞれ嵌合孔８０ａ、８０ｂ、８０ｃ、８０ｄと嵌合可能とするべく、嵌合孔８０ａ、８０ｂ、８０ｃ、８０ｄの直径よりも短くしておく。
【００９１】
また、末端端子台２００Ｄには、螺子孔７２ａ、７２ｂ、７２ｃ、７２ｄとそれぞれ対応する位置に螺子孔７６ａ、７６ｂ、７６ｃ、７６ｄが設けられている。
【００９２】
末端端子台２００Ｄと増設端子台２００Ｃとを連結する場合、末端端子台２００Ｄの嵌合片８４ａ、８４ｂ、８４ｃ、８４ｄと増設端子台２００Ｃの嵌合孔８０ａ、８０ｂ、８０ｃ、８０ｄとを嵌合させる。その後、例えば、螺子５０ａで螺子孔７６ａ、７２ａをｚ方向−側に螺合し、螺子５０ｄで螺子孔７６ｄ、７２ｄをｚ方向−側に螺合する。
【００９３】
また、増設端子台２００Ｃの面Ｕに嵌合片を設け、面Ｌに嵌合孔を設けた場合にも、勘合片が露出することになるため、導電物などによって導出端子が接触し短絡する恐れがある。その場合も同様に末端端子台を設けるようにすればよい。
【００９４】
図９（ａ）は、増設端子台２００Ｃの面Ｕに嵌合片８２ａ、８２ｂ、８２ｃ、８２ｄを設けた場合の末端端子台２００Ｅの一例を説明するための斜視図である。図９（ｂ）は、末端端子台２００Ｅの側面図の一例である。
【００９５】
末端端子台２００Ｅは、樹脂などの絶縁物で形成され、−ｚ側の面において、増設端子台２００Ｃの嵌合片８２ａ、８２ｂ、８２ｃ、８２ｄと嵌合可能な位置にそれぞれ嵌合孔８６ａ、８６ｂ、８６ｃ、８６ｄが設けられている。嵌合孔８６ａ、８６ｂ、８６ｃ、８６ｄのｚ方向の長さ（ｄ４）は、増設端子台２００Ｃの嵌合片８２ａ、８２ｂ、８２ｃ、８２ｄのｚ方向の長さよりも長くしておく。また、嵌合孔８６ａ、８６ｂ、８６ｃ、８６ｄの直径は、それぞれ嵌合片８２ａ、８２ｂ、８２ｃ、８２ｄと嵌合可能とするべく、嵌合片８２ａ、８２ｂ、８２ｃ、８２ｄの直径よりも長くしておく。
【００９６】
また、末端端子台２００Ｅには、螺子孔７２ａ、７２ｂ、７２ｃ、７２ｄとそれぞれ対応する位置に螺子孔７８ａ、７８ｂ、７８ｃ、７８ｄが設けられている。
【００９７】
末端端子台２００Ｅと増設端子台２００Ｃとを連結する場合、末端端子台２００Ｄの嵌合孔８６ａ、８６ｂ、８６ｃ、８６ｄと増設端子台２００Ｃの嵌合片８２ａ、８２ｂ、８２ｃ、８２ｄとを嵌合させる。その後、例えば、螺子５０ａで螺子孔７８ａ、７２ａをｚ方向−側に螺合し、螺子５０ｄで螺子孔７８ｄ、７２ｄをｚ方向−側に螺合する。
【００９８】
このように、末端端子台２００Ｄ、又は２００Ｅを設けることによって、導出端子を露出しないようにすることができ、短絡を防止することができる。
【００９９】
なお、末端端子台を、例えば増設端子台２００Ｃの面Ｕに嵌合孔８０ａ、８０ｂ、８０ｃ、８０ｄ、あるいは嵌合片８２ａ、８２ｂ、８２ｃ、８０ｄを設けないようにした構成としてもよい。その場合、増設を行う最後に末端端子台を連結するようにする。
【０１００】
以上説明したように、本発明の端子台は、必要に応じて基本端子台と増設端子台を垂直方向に連結していくことにより、入力ケーブルとそれに対応した出力ケーブルの接続を正確に行うことができる。
【０１０１】
前述した実施の形態は、本発明の理解を容易にするためのものであり、本発明を限定して解釈するためのものではない。本発明は、その趣旨を逸脱することなく変更、改良されるとともに、本発明にはその等価物も含まれる。
【図面の簡単な説明】
【０１０２】
【図１】本発明の一実施形態に係る端子台を説明するための斜視図である。
【図２】本発明の一実施形態に係る端子台を示す図である。図２（ａ）は端子台の斜視図であり、図２（ｂ）は端子台の断面図である。
【図３】本発明の一実施形態に係る端子台の増設を説明するための斜視図である。
【図４】本発明の一実施形態に係る端子台を説明するための斜視図である。
【図５】本発明の一実施形態に係る端子台の断面図である。
【図６】本発明の一実施形態に係る端子台の増設を説明するための斜視図である。
【図７】図７（ａ）は導出端子同士の接触を確実に行うための一例を示す断面図であり、図７（ｂ）は緩衝部材の斜視図である。
【図８】図８（ａ）は、末端端子台の一例を説明するための斜視図である。また、図８（ｂ）は末端端子台の側面図である。
【図９】図９（ａ）は、末端端子台の一例を説明するための斜視図である。また、図９（ｂ）は末端端子台の側面図である。
【図１０】従来の端子台の構成の一例を示す斜視図である。
【図１１】従来の端子台を拡大して示す斜視図である。
【図１２】従来の端子台の接続を示す平面図である。
【符号の説明】
【０１０３】
１０  端子台、１２  螺子孔、１５  圧着端子、１６  螺子、
２０  電圧変成器、２ａ〜２ｄ  入力ケーブル、３ａ〜３ｄ  短絡ケーブル、
４a〜４ｄ、６ａ〜６ｄ、８a〜８ｄ  出力ケーブル、
３０ａ〜３０ｄ  嵌合片、３２ａ〜３２ｄ  嵌合孔、
３３ａ〜３３ｄ  入力端子、３４ａ〜３４ｄ  出力端子、
３３ｅ，５３ｅ  ダミー入力端子、３４ｅ，５４ｅ  ダミー出力端子、
４０ａ〜４０ｄ  螺子孔、５０ａ〜５０ｄ  螺子、
４３ａ〜４３ｄ、５３ａ〜５３ｄ  入力端子、
４４ａ〜４４ｄ、５４ａ〜５４ｄ  出力端子、
６０ａ〜６０ｄ  嵌合孔、７０ａ〜７０ｄ  螺子孔、
７２ａ〜７２ｄ  螺子孔、７４ａ〜７４ｄ  螺子孔、
７６ａ〜７６ｄ  螺子孔、７８ａ〜７８ｄ  螺子孔、
８０ａ〜８０ｄ、８６ａ〜８６ｄ  嵌合孔、
８２ａ〜８２ｄ、８４ａ〜８４ｄ  嵌合片、
９０ａ〜９０ｄ  貫通孔、
１００Ａ，２００Ａ  基本端子台、
１００Ｂ，１００Ｃ，２００Ｂ，２００Ｃ  増設端子台、
２００Ｄ，２００Ｅ  末端端子台、
３００  緩衝部材
【図１】
0004693611.tif 000002
【図２】
0004693611.tif 000003
【図３】
0004693611.tif 000004
【図４】
0004693611.tif 000005
【図５】
0004693611.tif 000006
【図６】
0004693611.tif 000007
【図７】
0004693611.tif 000008
【図８】
0004693611.tif 000009
【図９】
0004693611.tif 000010
【図１０】
0004693611.tif 000011
【図１１】
0004693611.tif 000012
【図１２】
0004693611.tif 000013